(57)【特許請求の範囲】
【請求項１】
気密性及び不透水性を有する可撓性シートにより形成され、湿潤シートを収納する湿潤シート用包装体の袋本体に形成された取出口を繰り返し開閉可能に貼付して覆う蓋用ラベルであって、
少なくとも前記取出口の周縁部を含めて前記取出口を覆うように前記袋本体に剥離可能に貼付される開閉蓋部と、
前記開閉蓋部の基端に沿うように前記袋本体に貼付され、前記開閉蓋部の基端の少なくとも一部と連結されて該開閉蓋部を支持する支持部と、
前記開閉蓋部の側縁部に沿うように前記袋本体に貼付され、前記支持部の両端のそれぞれから前記開閉蓋部の前記側縁部に沿って延出する略Ｌ字型の形状の側枠部とを備え、
前記開閉蓋部の先端側の略中央には、該先端方向に突出する摘み部が形成され、該摘み部は、前記開閉蓋部が前記取出口を覆う際に、前記側枠部のそれぞれの先端の間に配置される構成となっており、
前記開閉蓋部、前記支持部及び前記側枠部は、全体の厚さを少なくとも２００μｍ以上とする略矩形の可撓性シートにスリット状の境界部分を設けることによって一体成型されていることを特徴とする蓋用ラベル。
【請求項２】
前記開閉蓋部、前記支持部及び前記側枠部は、それぞれ厚さが３００μｍ以下となるように一体成型されていることを特徴とする請求項１に記載の蓋用ラベル。
【請求項３】
前記支持部は、前記袋本体の長さ方向又は幅方向の何れかに沿って貼付され、前記開閉蓋部は、前記袋本体の前記幅方向又は前記長さ方向の何れかに対して前記取出口を開閉可能に覆う構成となっていることを特徴とする請求項１又は請求項２に記載の蓋用ラベル。
【請求項４】
湿潤シートを収納する湿潤シート用包装体であって、
気密性及び不透水性を有する可撓性シートにより形成され、前記湿潤シートを内部に収納する袋本体と、
前記袋本体の表面に形成された取出口を繰り返し開閉可能に貼付して覆う請求項１乃至３の何れか１項に記載の蓋用ラベルと、を備えることを特徴とする湿潤シート用包装体。
【発明の詳細な説明】
【技術分野】
【０００１】
本発明は、水やアルコール、薬液等の液体を含浸させたウエットティッシュ等の湿潤シートを収容する湿潤シート用包装体の蓋用ラベル、及び湿潤シート用包装体に関する。
【背景技術】
【０００２】
アルコール、保湿剤、界面活性剤等を含む薬液を紙、織布又は不織布の繊維素材に含浸させた湿潤シートであるウエットティッシュは、乾燥しないように、気密性及び不透水性を有する包装容器に収容される。湿式シートには、皮膚の汚れを拭き取ったり、化粧落とし、幼児のお尻拭き、掃除用のウェットシート等、様々なものがある。これらのウエットティッシュは、含ませた薬液が乾燥しないように、気密性及び不透水性を有する可撓性の樹脂フィルムからなる包装体に収納して製品とされる。包装体の表面略中央部には、取出口が形成され、この取出口の上面に独立部品である蓋用ラベルが繰返して開閉・密封可能に装着されている。
【０００３】
このような従来の包装体の蓋用ラベルを用いた場合には、蓋用ラベルを剥離して内容物であるウエットティッシュを取りだした後に、包装体に再密着させる際に、充分に注意を払わないと包装体の表面、特に取出口の近傍が皺になりやすく、蓋用ラベルが包装体に密着せず、隙間が発生してしまう。このため、携行時にウエットティッシュに含浸させてある薬液が漏れたり、蒸発してしまいウエットティッシュが乾燥してしまう等の課題があった。このような課題を解決する先行技術として、特許文献１には、取出口の周縁部に補強ラベルを貼って、当該周縁部が皺にならないように蓋用ラベルを貼れるようにした包装体が開示されている。また、特許文献２及び特許文献３には、蓋用ラベルの周囲に枠部を設けることによって、貼り付け位置を正確にして包装体内部の乾燥を防ぐようにした包装体の蓋用ラベルが開示されている。
【先行技術文献】
【特許文献】
【０００４】
【特許文献１】特開平０９−１５０８７２号公報
【特許文献２】特開平１０−０２４９７２号公報
【特許文献３】特開２００２−１０４５５０号公報
【発明の概要】
【発明が解決しようとする課題】
【０００５】
湿潤シート用包装体やその蓋用ラベルを製造する過程において、時間的にも費用的にも余分なコストがかからないことが好ましい。また、湿潤シート用包装体は、薄い可撓性を有する樹脂フィルムから形成されるので、その表面が柔らかく、よれて波打ちや皺が発生し易い。このため、包装体の製造過程等で包装体の取出口を覆うように蓋用ラベルを取り付ける際に、取出口の周縁部に波打ちや皺が発生して、密閉性を確保するように包装体の袋本体に取り付け難いことが問題となっている。
【０００６】
特許文献１に開示されている包装体は、補強ラベルによって取出口の周囲をフラットな状態にするので、蓋用ラベルの開閉動作を繰り返した際における包装体の密閉性を確保できるが、補強ラベルの加工や貼付する工程が必要となり、時間及び費用に関して余分なコストを要することが課題となる。また、特許文献２及び特許文献３に開示された包装体の蓋用ラベルは、包装体に密着したラベル枠部が取出口の周囲をフラットな状態にするので、蓋用ラベルの開閉動作を繰り返した際における包装体の密閉性を確保できるが、包装体の袋本体に蓋用ラベルを取り付ける際における密閉性の確保には課題が残る。
【０００７】
本発明は、上記課題に鑑みてなされたものであり、より効率的に包装体の袋本体に蓋用ラベルを取り付ける際における密閉性の確保と、蓋用ラベルの開閉動作後における密閉性の確保の双方の両立が可能な新規かつ改良された蓋用ラベル、及び湿潤シート用包装体を提供することを目的とする。
【課題を解決するための手段】
【０００８】
本発明の一態様は、気密性及び不透水性を有する可撓性シートにより形成され、湿潤シートを収納する湿潤シート用包装体の袋本体に形成された取出口を繰り返し開閉可能に貼付して覆う蓋用ラベルであって、少なくとも前記取出口の周縁部を含めて前記取出口を覆うように前記袋本体に剥離可能に貼付される開閉蓋部と、前記開閉蓋部の基端に沿うように前記袋本体に貼付され、前記開閉蓋部の基端の少なくとも一部と連結されて該開閉蓋部を支持する支持部と、前記開閉蓋部の側縁部に沿うように前記袋本体に貼付され、前記支持部の両端のそれぞれから前記開閉蓋部の前記側縁部に沿って延出する略Ｌ字型の形状の側枠部とを備え、前記開閉蓋部の先端側の略中央には、該先端方向に突出する摘み部が形成され、該摘み部は、前記開閉蓋部が前記取出口を覆う際に、前記側枠部のそれぞれの先端の間に配置される構成となっており、前記開閉蓋部、前記支持部及び前記側枠部は、全体の厚さを少なくとも２００μｍ以上とする略矩形の可撓性シートにスリット状の境界部分を設けることによって一体成型されていることを特徴とする。
【０００９】
本発明の一態様によれば、蓋用ラベルを側枠部に沿って開閉蓋部が開閉可能な構成として、かつ全体の厚さを２００μｍ以上に増大させることによって、当該蓋用ラベルを袋本体に取り付ける際に、袋本体の表面の波打ちや皺を伸ばしながら貼り付けることができる。また、開閉蓋部の開閉動作を容易にするので、開閉蓋部を閉じた際における袋本体の密閉性を確保し易くなる。
【００１０】
このとき、本発明の一態様では、前記開閉蓋部、前記支持部及び前記側枠部は、それぞれの厚さが３００μｍ以下となるように一体成型されていることとしてもよい。
【００１１】
このように、蓋用ラベルの厚さをかかる条件とすることによって、新たな貼付用装置を使用することなく、従来の貼付用装置による貼り付け作業が可能となる。
【００１４】
また、本発明の一態様では、前記支持部は、前記袋本体の長さ方向又は幅方向の何れかに沿って貼付され、前記開閉蓋部は、前記袋本体の前記幅方向又は前記長さ方向の何れかに対して前記取出口を開閉可能に覆う構成となっていることとしてもよい。
【００１５】
このような構成とすることによって、蓋用ラベルを包装体の袋本体に取り付ける際に、袋本体の表面の波打ちや皺を伸ばしながら貼り付けることができ、かつ、開閉蓋部を閉じた際における袋本体の密閉性を確保するための開閉動作が容易になる。
【００１６】
本発明の他の態様は、湿潤シートを収納する湿潤シート用包装体であって、気密性及び不透水性を有する可撓性シートにより形成され、前記湿潤シートを内部に収納する袋本体と、前記袋本体の表面に形成された取出口を繰り返し開閉可能に貼付して覆う上記の何れかに記載の蓋用ラベルと、を備えることを特徴とする。
【００１７】
本発明の他の態様によれば、蓋用ラベルの全体の厚さを２００μｍ以上に増大させることによって、袋本体に蓋用ラベルを取り付ける際における包装体の密閉性の確保と、蓋用ラベルの開閉動作後における包装体の密閉性の確保の両立が可能となる。
【発明の効果】
【００１８】
以上説明したように本発明によれば、開閉蓋部のガイドとなる側枠部を設けた蓋用ラベルの全体の厚さを従来より大幅に増大させたので、包装体の袋本体に取り付ける際に、袋本体の表面の波打ちや皺を伸ばしながら貼り付けることができる。このため、余分な補強ラベル等の別部材を使用しないで、包装体の袋本体に蓋用ラベルを取り付ける際における密閉性の確保と、蓋用ラベルの開閉動作後における包装体の密閉性の確保の両立が実現される。
【図面の簡単な説明】
【００１９】
【図１】本発明の一実施形態に係る蓋用ラベルが設けられた湿潤シート用包装体の概略構成を示す斜視図である。
【図２】本発明の一実施形態に係る蓋用ラベルが設けられた湿潤シート用包装体の蓋用ラベルが開いた状態を示す斜視図である。
【図３】本発明の一実施形態に係る蓋用ラベルの概略構成を示す平面図である。
【図４】（ａ）乃至（ｄ）は、本発明の一実施形態に係る蓋用ラベルの貼付及び開閉動作を示す説明図である。
【発明を実施するための形態】
【００２０】
以下、本発明の好適な実施の形態について詳細に説明する。なお、以下に説明する本実施形態は、特許請求の範囲に記載された本発明の内容を不当に限定するものではなく、本実施形態で説明される構成の全てが本発明の解決手段として必須であるとは限らない。
【００２１】
まず、本発明の蓋用ラベルが設けられた湿潤シート用包装体の一実施形態の構成について、図面を使用しながら説明する。図１は、本発明の一実施形態に係る蓋用ラベルが設けられた湿潤シート用包装体の概略構成を示す斜視図であり、図２は、本発明の一実施形態に係る蓋用ラベルが設けられた湿潤シート用包装体の蓋用ラベルが開いた状態を示す斜視図である。
【００２２】
本実施形態に係る蓋用ラベル１００が設けられた湿潤シート用包装体１０は、気密性及び不透水性を有する可撓性シートであるフィルム素材からなる袋本体１２の内部に、１枚毎に繰り出し可能に積層されたウエットティッシュ１１が所謂ポップアップ式となるように収納されている。また、包装体１０の袋本体１２の一面１２ａの略中央部には、ウエットティッシュを取り出すための取出口１４が形成され、当該取出口１４を覆うように蓋用ラベル１００が貼付されている。
【００２３】
袋本体１２は、柔軟で気密性及び不透水性を有する可撓性シート、例えばポリエチレン、ポリプロピレン、ポリエステル、ポリアミド、ポリ塩化ビニル等の合成樹脂の単材又は複合材で形成されている。なお、袋本体１２は、上述に限らず、上述の合成樹脂とアルミホイル、紙等とを貼りあわせた複合材からなるものであってもよい。
【００２４】
袋本体１２は、フィルムの長辺の一端部及び短辺の両端部がシールされた、いわゆるピロータイプの包装体であり、その内部には、ウエットティッシュ１１が積層されて封入されている。なお、包装体１０の袋本体１２は、上述のような所謂ピロータイプに限らず、柔軟で気密性及び不透水性を有する可撓性シートのものからなり、その内部にウエットティッシュ等を収容できる包装体であれば、他の態様であってもよい。
【００２５】
袋本体１２に収納されるウエットティッシュ１１は、パルプ、綿、合成繊維などからなる不織布、天然パルプ、合成パルプなどからなる紙、又はガーゼ等の布など湿潤強度を有する繊維素材等に水、アルコール、香料、化粧水、薬剤、界面活性剤などの液体成分、又は溶液を含浸させたものである。ウエットティッシュ１１は、一枚一枚が互いに重なりあって折り畳まれており、連続してウエットティッシュを袋本体１２の取出口１４から取り出せる、所謂ポップアップ式となるように袋本体１２に収納されている。すなわち、複数のウエットティッシュ１１のそれぞれが互いに一部重なるように折り畳んだ状態で積層されて袋本体１２に収納される。
【００２６】
包装体１０の袋本体１２の一面１２ａの略中央部には、包装体１０の長手方向に平行で両端が円弧をなす形状の取出口１４が形成されている。取出口１４は、当該取出口１４よりも大きく形成され、袋本体１２の取出口１４の周囲１４ａと貼り合わせることによって取出口１４を繰り返して開閉可能に覆う蓋用ラベル１００が貼付されている。
【００２７】
蓋用ラベル１００は、ポリエチレン、ポリプロピレン、ポリエステル、ポリアミド、ポリ塩化ビニル等の合成樹脂の単材又は複合材等の柔軟で気密性及び不透水性を有する可撓性シートにより形成され、図１に示すように、略矩形の形状を有し、袋本体１２の一面１２ａに貼付されている。本実施形態では、蓋用ラベル１００は、図２に示す取出口１４を開閉可能に貼付される開閉蓋部１０２の先端側に有する摘み部１０２ａを除いた周囲を支持部１０４と側枠部１０６で囲う構成となっている。すなわち、蓋用ラベル１００は、開閉蓋部１０２、支持部１０４、及び側枠部１０６の各境界部分がスリット状となって一体成型される構成となっている。なお、蓋用ラベル１００は、開閉蓋部１０２が取出口１４を周縁部１４ａも含めて被覆する所定の面積を有していれば、略矩形以外の他の形状としてもよい。
【００２８】
蓋用ラベル１００の裏面側、すなわち包装体１０の袋本体１２に対向する面には、包装体１０に繰り返し剥離、貼付可能にするための再剥離接着剤糊として、例えば、ポリエステル系、アクリル系、ゴム系等の感圧接着剤が塗布され、袋本体１２の一面１２ａに接着されて取出口１４を閉塞する。本実施形態では、蓋用ラベル１００の開閉蓋部１０２は、包装体１０に繰り返し剥離、貼付され、支持部１０４と側枠部１０６は、貼付されたままの状態となっている。
【００２９】
開閉蓋部１０２は、少なくとも取出口１４の周縁部１４ａを含めて取出口１４を覆うように袋本体１２に剥離可能に貼付されている。本実施形態では、開閉蓋部１０２は、先端側に有する摘み部１０２ａを除く本体部分が略矩形の形状となっている。開閉蓋部１０２の基端の略中央には、当該開閉蓋部１０２が袋本体１２から外れないようにするために、袋本体１２に貼付される支持部１０４と連結するための略矩形の連結部１０２ｂが設けられている。なお、連結部１０２ｂの構成は、開閉蓋部１０２の基端の少なくとも一部が支持部１０４と連結する構成となっていれば、他の形状、位置、個数としてもよい。
【００３０】
また、本実施形態では、開閉蓋部１０２は、その側縁部１０２ｅに沿って側枠部１０６が設けられ、側枠部１０６に沿って袋本体１２の幅方向Ｙに対して取出口１４を開閉可能に覆う構成となっている。開閉蓋部１０２の裏面１０２ｃには、上述した感圧接着剤が塗布されており、包装体１０の袋本体１２に繰り返し剥離、貼付可能となっている。
【００３１】
開閉蓋部１０２の裏面１０２ｃの略中央には、図２に示すように、取出口１４を覆う内蓋１２ｂが貼付されている。内蓋１２ｂは、袋本体１２の取出口１４が形成される部分に該当し、開閉蓋部１０２を最初に剥離するまでは、袋本体１２とミシン目状の連結点を介して連結されている。そして、開閉蓋部１０２が最初に剥離された際に、内蓋１２ｂは、開閉蓋部１０２の裏面１０２ｃに塗布された感圧接着剤によって、袋本体１２の取出口１４となる部分を切り離して、かかる切り離された部分が当該裏面１０２に貼付されて、取出口１４を覆う内蓋１２ｂとなる。
【００３２】
また、蓋用ラベル１００の開閉蓋部１０２の先端側には、開閉蓋部１０２を繰り返し剥離、貼付するための摘み部１０２ａが形成されている。摘み部１０２ａは、開閉蓋部１０２の先端方向に略円弧状に突出して形成されている。摘み部１０２ａは、摘みやすくするために、図２に示すように、上述した再剥離接着剤糊が摘み部１０２ａの裏面１０２ａ１に塗布されておらず、包装体１０の袋本体１２に接着されていない。
【００３３】
また、摘み部１０２ａは、図１に示すように、開閉蓋部１０２が取出口１４を覆う際に、側枠部１０６ａ、１０６ｂのそれぞれの先端１０６ａ１、１０６ｂ１の間に配置される構成となっている。このような構成とすることによって、開閉蓋部１０２の開閉動作をし易くなるので、開閉蓋部１０２を閉じた際における袋本体１２の密閉性も確保し易くなる。なお、摘み部１０２ａは、上述した構成に限らず、開閉蓋部１０２の先端に形成されて、ユーザによって剥離動作を容易に行なえるものであればよく、その形状が、例えば、矩形、台形等であってもよい。
【００３４】
支持部１０４は、開閉蓋部１０２の基端に沿うように袋本体１２に貼付され、開閉蓋部１０２の基端の略中央に有する連結部１０２ｂと連結されて当該開閉蓋部１０２が袋本体１２から外れないように支持する。また、本実施形態では、支持部１０４は、袋本体１２の長さ方向Ｘに沿って貼付されているので、開閉蓋部１０２が袋本体１２の幅方向Ｙに対して取出口１４を開閉可能に覆う構成となっている。このため、開閉蓋部１０２を閉じた際における袋本体１２の密閉性を確保するための開閉動作がし易くなる。
【００３５】
側枠部１０６は、開閉蓋部１０２の側縁部１０２ｅに沿うように袋本体１２に貼付され、支持部１０４の両端１０４ａ、１０４ｂのそれぞれから開閉蓋部１０２の側縁部１０２ｅに沿って袋本体１２の幅方向Ｙに延出する構成となっている。側枠部１０６ａ、１０６ｂは、図１に示すように、略Ｌ字型の形状となっており、その先端１０６ａ１、１０６ｂ１の間に、開閉蓋部１０２の先端に有する摘み部１０２ａが配置するようになっている。
【００３６】
本実施形態では、このように側枠部１０６（１０６ａ、１０６ｂ）が設けられるので、開閉蓋部１０２の開閉動作を繰り返しても、開閉蓋部１０２が側枠部１０６に沿って取出口１４を覆う定位置に戻って貼付されるようになる。このため、開閉蓋部１０２を閉じた際に、当該開閉蓋部１０２が取出口１４からずれるリスクを低減するので、包装体１０の密閉性を確保し易くなる。
【００３７】
また、本実施形態では、蓋用ラベル１００は、開閉蓋部１０２、支持部１０４及び側枠部１０６のそれぞれの厚さが少なくとも２００μｍ以上となるように一体成型されていることを特徴とする。蓋用ラベル１００は、それ自体で保形性を有して皺になり難いものが望ましいので、従来から例えば１００μｍと包装体１０の袋本体１２よりも厚めに形成されているが、本実施形態では、従来のものよりも更に厚めな構成となっている。
【００３８】
このように蓋用ラベル１００を開閉蓋部１０２と支持部１０４と側枠部１０６の一体型として、その厚さを少なくとも２００μｍ以上と大きくすることによって、袋本体１２に蓋用ラベル１００を取り付ける際に、袋本体１２の一面１２ａに有する波打ちや皺を引き延ばしながら取り付けられるようになる。そして、袋本体１２に取り付けた後には、開閉蓋部１０２が側枠部１０６に沿って開閉動作されるので、開閉蓋部１０２がより確実に取出口１４を覆うようになり、開閉動作後における包装体１０の密閉性が確保されるようになる。すなわち、より効率的に袋本体１２に蓋用ラベル１００を取り付ける際における密閉性の確保と、蓋用ラベル１００の開閉蓋部１０２の開閉動作後における密閉性の確保の両立が実現されるようになる。
【００３９】
次に、本発明の一実施形態に係る湿潤シート用包装体の蓋用ラベルの構成等に関する詳細について、図面を使用しながら説明する。図３は、本発明の一実施形態に係る蓋用ラベルの概略構成を示す平面図である。
【００４０】
本発明者は、前述した本発明の目的を達成するために鋭意検討を重ねた結果、蓋用ラベル１００の厚さを少なくとも２００μｍ以上と従来より厚くすることによって、蓋用ラベル１００を包装体１０の袋本体１２に取り付ける際に、袋本体１２の表面１２ａの波打ちや皺を伸ばしながら貼り付けられることを見出した。また、蓋用ラベル１００の厚さを少なくとも２００μｍ以上と従来より厚くすることによって、袋本体１２の表面１２ａの波打ちや皺を伸ばしながら貼り付けられるので、蓋用ラベル１００の開閉動作を繰り返し行っても、包装体１０の密閉性を維持できることを見出した。
【００４１】
本実施形態の蓋用ラベル１００は、開閉蓋部１０２、支持部１０４及び側枠部１０６が一体成型され、その厚さが少なくとも２００μｍ以上となるように形成されていることを特徴とする。蓋用ラベル１００は、図３に示すように、略矩形の形状を有し、開閉蓋部１０２の先端側に有する摘み部１０２ａを除いた周囲を支持部１０４と側枠部１０６で囲う構成となっている。また、蓋用ラベル１００の開閉蓋部１０２、支持部１０４及び側枠部１０６の各境界部分は、スリット状になっている。
【００４２】
蓋用ラベル１００は、ポリエチレン、ポリプロピレン、ポリエステル、ポリアミド、ポリ塩化ビニル等の合成樹脂シートの複合材、又はこれら合成樹脂シートとアルミホイル、紙等とを貼り合わせた複合シートからなる柔軟で気密性及び不透水性を有する可撓性シートにより形成されている。なお、蓋用ラベル１００は、上述の材質に限らず、全体として蓋用ラベル１００の開閉蓋部１０２の剥離、貼付動作を繰り返し行った場合にも傷まず、適度な柔軟性、気密性や液密性を保てるものであればよい。
【００４３】
本実施形態では、蓋用ラベル１００は、袋本体１２に蓋用ラベル１００を取り付ける際に、袋本体１２の一面１２ａに有する波打ちや皺を引き延ばしながら取り付けられるようにするために、少なくとも２００μｍ以上の厚さに形成される。このように、蓋用ラベル１００を従来よりも厚くすることによって、袋本体１２に蓋用ラベル１００を取り付ける際に、蓋用ラベル１００により強い応力が働くようになるので、袋本体１２の波打ちや皺を伸ばすように作用するようになる。
【００４４】
ただし、蓋用ラベル１００を必要以上に厚くすると、その材料コストが余分に要する点や、従来の蓋用ラベル１００の貼付装置を使用して貼付作業をすることが困難になる点を鑑みると好ましくない。すなわち、蓋用ラベル１００を厚くし過ぎると、材料コストが多くなり、かつ厚い蓋用ラベルの貼付対応が可能な新たな貼付装置が必要となることから、設備コストも多くなる。
【００４５】
本発明者は、前述した本発明の目的を達成するために鋭意検討を重ねた結果、新たな貼付用装置を使用することなく、従来の貼付用装置による貼り付け作業が可能な蓋用ラベル１００の厚さの上限値が３００μｍであることを見出した。このことから、余分な材料コストをかけずに、かつ新たな貼付用装置を用いないで余分な設備コストをかけずに、袋本体１２の一面１２ａに有する波打ちや皺を引き延ばしながら取り付けるためには、蓋用ラベル１００の厚さは、２００μｍ以上で３００μｍ以下の範囲であることが好ましい。
【００４６】
次に、本発明の一実施形態に係る湿潤シート用包装体の蓋用ラベルの貼付及び開閉動作について、図面を使用しながら説明する。図４（ａ）乃至（ｄ）は、本発明の一実施形態に係る湿潤シート用包装体の蓋用ラベルの貼付及び開閉動作を示す説明図である。
【００４７】
ウエットティッシュ１１が収納され、蓋用ラベル１００が貼付される包装体１０の袋本体１２は、薄い可撓性を有する樹脂フィルムから形成されるので、その表面が柔らかく、よれて波打ちや皺が発生し易い。本実施形態の蓋用ラベル１００は、図４（ａ）に示すように、波打ち１２ａ１や皺が発生している袋本体１２の一面１２ａに貼付される。このとき、支持部１０４（図３参照）が袋本体１２の長さ方向に沿って貼付される。なお、本実施形態では、蓋用ラベル１００を袋本体１２に貼付する際に、支持体１０４が袋本体１２の長さ方向に沿って貼付されているが、幅方向に沿って貼付されるようにしてもよい。
【００４８】
前述したように、本実施形態では、蓋用ラベル１００が２００μｍ以上の厚さを有するので、袋本体１２の一面１２ａに貼付され始めると、図４（ｂ）に示すように、応力が働いて袋本体１２の一面１２ａに有する波打ち１２ａ１や皺を伸ばしながら、貼り付けられるようになる。すなわち、蓋用ラベル１００の厚さを２００μｍ以上とすることによって、表面に波打ち１２ａ１や皺が生じやすい包装体１０の袋本体１２に、当該波打ち１２ａ１や皺を伸ばすようにして蓋用ラベル１００を貼付できるので、包装体１０の密閉性を確保するように、袋本体１２に取り付け易くなる。
【００４９】
そして、蓋用ラベル１００が袋本体１２の一面１２ａに貼られ終わると、図４（ｃ）に示すように、袋本体１２の波打ち１２ａ１や皺が完全に伸ばされて、蓋用ラベル１００が袋本体１２に密着した状態で貼り付けられるようになる。すなわち、包装体１０の袋本体１２に蓋用ラベル１００を取り付ける際における袋本体１２の密閉性が確保された状態となる。換言すると、包装体１０の出荷時における密閉性が確保された状態となる。
【００５０】
その後、図４（ｄ）に示すように、側枠部１０６に沿って開閉蓋部１０２を袋本体１２に対して開閉させるので、開閉蓋部１０２が開閉動作後に取出口１４を覆う定位置に誘導されるようになる。このため、蓋用ラベル１００の開閉蓋部１０２の開閉動作後における包装体１０の密閉性を確保し易くなる。本実施形態では、支持部１０４が袋本体１２の長さ方向に沿って貼付されるので、開閉蓋部１０２は、袋本体１２の幅方向に対して取出口１４を開閉可能に覆う構成となる。なお、支持部１０４が袋本体１２の幅方向に沿って貼付されるようにした場合では、開閉蓋部１０２は、袋本体１２の長さ方向に対して取出口１４を開閉可能に覆う構成となる。
【００５１】
このように、本実施形態では、開閉蓋部１０２のガイドとなる側枠部１０６を設けた蓋用ラベル１００の全体の厚さを従来よりも大幅に増大させたので、包装体１０の袋本体１２に取り付ける際に、支持部１０４が袋本体１２の長さ方向又は幅方向の何れかに沿うようにして、袋本体１２の表面１２ａの波打ち１２ａ１や皺を伸ばしながら貼り付けられる。すなわち、開閉蓋部１０２の側縁部１０２ｅに沿うように側枠部１０６を設けた蓋用ラベル１００を一体成型して、その厚みを従来よりも大きくすることによって、袋本体１２の取出口１４の周囲等を波打ちや皺にならないようにすることができる。
【００５２】
このため、従来のような余分な補強ラベル等の別部材を使用しないで、包装体１０の袋本体１２に蓋用ラベル１００を取り付ける際における包装体１０の密閉性を確保できる。すなわち、従来のような補強ラベル等の別部材を加工する工程や、当該別部材を包装体に貼付する工程が不要となるので、前述した本発明の目的を達成できる蓋用ラベル１００の生産効率が向上し、また、補強ラベル等を不要とするので、材料コストの低減も図れる。
【００５３】
また、蓋用ラベル１００を開閉蓋部１０２と支持部１０４と側枠部１０６とを一体成型した構成としているので、包装体１０に蓋用ラベル１００を貼付した後において、蓋用ラベル１００の開閉動作後における包装体１０の密閉性を確保できるようになる。すなわち、蓋用ラベル１００を包装体１０の袋本体１２に取り付けた後に、開閉蓋部１０２の開閉動作を繰り返しても、取出口１４を覆う定位置に開閉蓋部１０２が誘導されるようになるので、包装体１０の使用開始後における密閉性を確保できるようになる。
【００５４】
さらに、蓋用ラベル１００を２００μｍ以上の厚さとすることによって、包装体１０を製造する過程において、ウエットティッシュ１１を収納した袋本体１２に蓋用ラベル１００を貼付する際に、袋本体１２の取出口１４の周辺に皺がよれた状態で蓋用ラベル１００が貼付された欠陥品となるリスクが低減される。すなわち、包装体１０を製造する際における蓋用ラベル１００の歩留りを向上させられる。具体的には、本実施形態の蓋用ラベル１００を備える包装体１０を製造する際に、包装体１０の生産個数に対する蓋用ラベル１００の使用枚数を減少させ、その歩留りを９０％以上とすることができる。
【実施例】
【００５５】
次に、前述した本発明の一実施形態における効果を実証する実施例となる実験結果について説明する。本実施例では、本発明の一実施形態に係る湿潤シート用包装体の蓋用ラベルを使用することによる使用時の密閉性を確認するための評価実験を行った。なお、本発明は、本実施例に限定されるものではない。
【００５６】
実施例として、本発明の一実施形態に係る湿潤シート用包装体の蓋用ラベルである厚手ラベル（厚さ２００μｍ）を用意した。また、かかる実施例の比較対象となる比較例１として、当該実施例の厚手ラベルと同形状の従来の厚さ（１００μｍ）の外枠無ラベルを用意し、さらに、比較例２として、当該実施例の厚手ラベルと同形状の従来の厚さ（１００μｍ）の特開昭６３−１５２５７７の外枠付きラベルを用意した。そして、それぞれのラベルにおける使用時の揮発性の確認を行った。
【００５７】
具体的には、下記の手順による評価方法を行った。
４０枚のシート（ウエットティッシュ）を袋本体がアルミホイルと合成樹脂シートとを貼り合わせた複合シート構成のフィルムからなる包装体で包装し、取り出し穴をあけて実施例、比較例１、及び比較例２の各ラベルを蓋用ラベルとして貼った湿潤シート用包装体のサンプルを作成した。
上記の各湿潤シート用包装体のサンプルのシートを１枚抜き取る毎にラベルを閉じる工程を１０回（１０枚抜き取り）、２０回（２０枚抜き取り）、３０回（３０枚抜き取り）とそれぞれ繰り返し行った。
上記抜き取り工程後に、その直後のサンプル製品の重量と、室温で４日間放置後のサンプル製品の重量を測定して、これらの重量差から乾燥減量（減量量）を測定し、また、乾燥減量率（（乾燥減量／抜き取り後の製品重量）×１００）を算出した。
本評価試験では、上記の２）及び３）の工程をそれぞれ３回行って、３回ずつ測定、算出した抜き取り後の製品重量、４日放置後の製品重量、減量量、及び乾燥減量率の平均値を求めた。
【００５８】
前述した実施例、比較例１、及び比較例２による各ラベルにおける上記評価方法による使用時の揮発性の検証結果をまとめたものを表１に示す。
【００５９】
【表１】
0005799146.tif 000002
【００６０】
表１より、本発明の一実施形態に係る湿潤シート用包装体の蓋用ラベルである実施例の厚手ラベルは、比較例１及び比較例２となる他のラベルに比べて、繰り返し使用した際における乾燥減量率が少ないことが分かった。特に、抜き取り枚数が２０枚、３０枚と増加するにつれて、実施例に係る蓋用ラベルである厚手ラベルは、比較例１及び比較例２のラベルと比べて、乾燥減量率が大幅に向上することが分かった。すなわち、本実施例の厚手ラベルは、取出口１４を塞ぐために当該厚手ラベルを再び袋本体１２に貼りつける際に、隙間なく貼りつけられることから、他の比較例のラベルと比べて、ラベルの着脱を繰り返しても、包装体１０の密閉性が確保できることが実証された。
【００６１】
なお、上記のように本発明の一実施形態及び各実施例について詳細に説明したが、本発明の新規事項及び効果から実体的に逸脱しない多くの変形が可能であることは、当業者には、容易に理解できるであろう。従って、このような変形例は、全て本発明の範囲に含まれるものとする。
【００６２】
例えば、明細書又は図面において、少なくとも一度、より広義又は同義な異なる用語と共に記載された用語は、明細書又は図面のいかなる箇所においても、その異なる用語に置き換えることができる。また、湿潤シート用包装体及び蓋用ラベルの構成、動作も本発明の一実施形態及び各実施例で説明したものに限定されず、種々の変形実施が可能である。
【符号の説明】
【００６３】
１０  湿潤シート用包装体、１１  ウエットティッシュ（湿潤シート）、１２  袋本体、１２ａ  一面、１２ａ１  波打ち、１４  取出口、１４ａ  周縁部、１００  蓋用ラベル、１０２  開閉蓋部、１０２ａ  摘み部、１０２ｂ  連結部、１０２ｅ  側縁部、１０４  支持部、１０４ａ、１０４ｂ  （支持部の）両端、１０６、１０６ａ、１０６ｂ  側枠部、１０６ａ１、１０６ｂ１  （側枠部の）先端、１０８ａ  摘み部
【要約】
【課題】包装体に取り付ける際における密閉性の確保と、開閉動作後における密閉性の確保を図る。
【解決手段】気密性及び不透水性を有する可撓性シートにより形成され、湿潤シート１１を収納する湿潤シート用包装体１０の袋本体１２に形成された取出口１４を繰り返し開閉可能に貼付して覆う蓋用ラベル１００であって、少なくとも取出口の周縁部１４ａを含めて取出口を覆うように袋本体に剥離可能に貼付される開閉蓋部１０２と、開閉蓋部の基端に沿うように袋本体に貼付され、開閉蓋部の基端の少なくとも一部と連結されて開閉蓋部を支持する支持部１０４と、開閉蓋部の側縁部１０２ｅに沿うように袋本体に貼付され、支持部の両端１０４ａ、１０４ｂのそれぞれから開閉蓋部の側縁部に沿って延出する側枠部１０６とを備え、開閉蓋部、支持部及び側枠部は、それぞれの厚さが少なくとも２００μｍ以上となるように一体成型されている。
【選択図】図１【図１】
0005799146.tif 000003
【図２】
0005799146.tif 000004
【図３】
0005799146.tif 000005
【図４】
0005799146.tif 000006